(57)【要約】      （修正有）【課題】簡易な構造で、歩行補助や、扁平足，外反母趾の予防，改善を可能にする足首矯正ベルトを提供する。【解決手段】歩行の補助を目的とする足首矯正ベルトであって、土踏まず５ａを支持するための土踏まず支持ベルト１ａとアキレス腱５ｂを支持するためのアキレス腱支持ベルト１ｂとから成る第１ベルトと、足の甲５ｃを支持する第２ベルト２とから成り、第１ベルトは、土踏まず支持ベルト及びアキレス腱支持ベルトがそれぞれＵ字状に湾曲した状態で、Ｕ字状に形成された面が略直交するように両端同士が接合され一体化されており、第１ベルト及び第２ベルトの両端には、第１ベルトに第２ベルトを脱着自在に取り外しできる固着手段４ａ（面ファスナー）が設けられている。【選択図】図１
0003197911.tif 000002
【実用新案登録請求の範囲】
【請求項１】
歩行の補助を目的とする足首矯正ベルトであって、
土踏まずを支持するための土踏まず支持ベルトとアキレス腱を支持するためのアキレス腱支持ベルトとから成る第１ベルトと、
足の甲を支持する第２ベルトと、
から成り、
第１ベルトは、前記土踏まず支持ベルト及び前記アキレス腱支持ベルトが、それぞれＵ字状に湾曲した状態で、Ｕ字で形成される面が略直交するように、各ベルトの両端同士が接合し輪っかが形成され、
第１ベルトの上記接合部位と第２ベルトの両端には、第１ベルトから第２ベルトを脱着自在に取り外しできる固着手段が設けられたことを特徴とする足首矯正ベルト。
【請求項２】
歩行の補助を目的とする足首矯正ベルトであって、
土踏まずを支持するための土踏まず支持ベルトとアキレス腱を支持するためのアキレス腱支持ベルトとから成る第１ベルトと、
足の甲を支持する第２ベルトと、
から成り、
第１ベルトは、前記土踏まず支持ベルト及び前記アキレス腱支持ベルトが、それぞれＵ字状に湾曲した状態で、Ｕ字で形成される面が略直交するように、各ベルトの両端同士が接合し輪っかが形成され、
第１ベルトの上記接合部位の一端と第２ベルトの一端同士が予め固着され、第１ベルトの上記接合部位の他端と第２ベルトの他端には、第１ベルトから第２ベルトを脱着自在に取り外しできる固着手段が設けられたことを特徴とする足首矯正ベルト。
【請求項３】
前記固着手段は、面ファスナであることを特徴とする請求項１又は２に記載の足首矯正ベルト。
【請求項４】
歩行の補助を目的とする足首矯正ベルトであって、
土踏まずを支持するための土踏まず支持ベルトとアキレス腱を支持するためのアキレス腱支持ベルトとから成る第１ベルトと、
足の甲を支持する第２ベルトと、
から成り、
第１ベルトは、前記土踏まず支持ベルト、前記アキレス腱支持ベルト及び第２ベルトが、それぞれＵ字状に湾曲した状態で、Ｕ字で形成される面が略直交するように、各ベルトの両端同士が接合し輪っかが形成され、
第１ベルトの上記接合部位を繋ぐように、第２ベルトの両端が上記接合部位に接合され、
第１ベルトと第２ベルトが一体化されていることを特徴とする足首矯正ベルト。
【請求項５】
前記土踏まず支持ベルト、前記アキレス腱支持ベルト及び第２ベルトの全てに、伸縮性の高い素材が用いられたことを特徴とする請求項１〜４の何れかに記載の足首矯正ベルト。
【請求項６】
前記土踏まず支持ベルト、前記アキレス腱支持ベルト及び第２ベルトの全てに、通気性の高い素材が用いられたことを特徴とする請求項１〜５の何れかに記載の足首矯正ベルト。
【考案の詳細な説明】
【技術分野】
【０００１】
本考案は、歩行補助や、扁平足，外反母趾等の予防，改善用の装具に関する。
【背景技術】
【０００２】
人にとって歩行は日常生活の中では欠かせないものであり、また、健康増進や体力維持の観点からも歩くことの重要性は広く知られている。
しかし、脳梗塞等の疾病による後遺症、高齢による体力低下、扁平足及び外反母趾により、正常な歩行ができない人は多い。例えば、脳梗塞等の疾病による後遺症による場合、足を持ち上げる際に爪先が下がり、足を下ろす際に、爪先が下がった状態でそのまま地面に接触して、引っ掛かり躓くおそれがある。
また、疾病により、足首が左右に傾いていたり捩れていたりして、真っ直ぐに歩くことが困難な人も多い。
【０００３】
そこで、歩行を補助する機能とリハビリ機能を有する足矯正用装具が知られている（特許文献１を参照）。これは、踝から爪先までの位置に装着する装着体と足首に装着する装着体を、伸縮性のある２つの連結体で繋ぐことで、足を持ち上げる際に爪先が下がることを防止し、かつ、自らの力で爪先を下げることもできるようにしたものである。
しかし、特許文献１に開示された足矯正用装具は、扁平足及び外反母趾を予防する効果や改善する効果は有していない。また、連結体は足の甲の位置に設けられるため、足首が左右に傾いていたり捩れていたりする場合に傾きや捩れを改善する効果も有していない。さらに、装着体の表面積が大きいため、足首等に巻きつけた際に蒸れが生じてしまうという問題もある。
ここで、扁平足とは、土踏まずが無い足のことをいい、外反母趾とは、足の親指が小指の方に曲がっていく症状をいう。一般に、扁平足であると、身体のバランスが悪くなったり、膝が内側に捻れやすくなったりすると言われている。また、扁平足になると、歩行時に自然と土踏まずに重心が置かれるようになり、足の親指側への負担が増えることになる。この状態で爪先が細くなった靴を履くと、外反母趾を誘発すると言われている。
【０００４】
そこで、扁平足及び外反母趾を予防，改善する効果をもたらすものとしては、サポーターに圧迫具を取り付けた土踏まず圧迫具が知られている（特許文献２を参照）。これは、弾力性のある圧迫具を土踏まずの位置に当接し、足と圧迫具を伸縮性のあるサポーターで覆って足に装着するものである。
また、簡易に装着でき形状もコンパクトな足底部矯正帯が知られている（特許文献３を参照）。これは、弾性力のある土踏まず形成体を装着用のバンドが取り付けられた裁断布で覆い、装着するものである。
しかしながら、上記特許文献２に開示された土踏まず圧迫具及び特許文献３に開示された足底部矯正帯は、何れも、足裏に圧迫具を配置し、歩行の際に足裏にかかる重力を利用して土踏まずの形成を促すものであるが、土踏まずの形成のためには、圧迫具を用いることは必ずしも必要ではなく、足を左右から拘束することで横方向のアーチを形成し、土踏まずの形成を促すことは可能である。
【０００５】
そこで、足の裏の土踏まずのアーチ形状を改善する足の健康装具が知られている（特許文献４を参照）。これは、帯状部と固定ひも部から成り、帯状部を用いて足裏と足の甲を拘束し、固定ひも部を踵に係合し、帯状部と固定ひも部を固定することで、土踏まずのアーチ形状を改善するものである。
しかしながら、上記特許文献４に開示された足の健康装具には、帯状部だけではなく、固定ひも部も設けられているが、固定ひも部は帯状部が爪先から抜けて外れてしまうことを防止するためのものに過ぎず、足を持ち上げる際に爪先が下がってしまうことを防止する機能を備えたものではない。
また、構造が複雑であり、製造コストが高くなるという問題もある。
【先行技術文献】
【特許文献】
【０００６】
【特許文献１】特開平１１−５６９４０号公報
【特許文献２】実開昭６３−１４６６４１号公報
【特許文献３】登録実用新案第３１０４９３９号公報
【特許文献４】特開２００６−１５１７２号公報
【考案の概要】
【考案が解決しようとする課題】
【０００７】
上記状況に鑑みて、本考案は、簡易な構造で、歩行補助や、扁平足，外反母趾の予防，改善を可能にする矯正ベルトを提供することを目的とする。
【課題を解決するための手段】
【０００８】
上記目的を達成すべく、本考案の足首矯正ベルトは、歩行の補助を目的とする足首矯正ベルトであって、土踏まずを支持するための土踏まず支持ベルトとアキレス腱を支持するためのアキレス腱支持ベルトとから成る第１ベルトと、足の甲を支持する第２ベルトとから成り、第１ベルトは、土踏まず支持ベルト及びアキレス腱支持ベルトがそれぞれＵ字状に湾曲した状態で、Ｕ字で形成される面が略直交するように各ベルトの両端同士が接合し輪っかが形成され、第１ベルトの上記接合部位と第２ベルトの両端には、第１ベルトから第２ベルトを脱着自在に取り外しできる固着手段が設けられたことを特徴とする。
【０００９】
第１ベルトと第２ベルトを固定することにより、土踏まず、アキレス腱及び足の甲を支持し、歩行を補助する。具体的には、足首に左右の傾きや捩れが有る場合には、足首を正常な位置に矯正し支持する。装着する際は、不具合の有る足にだけ装着しても良いし、不具合のない健康な足にも装着して、両足に着けても良い。なぜなら、一見すると健康そうに見える人でも、足首に僅かな左右の傾きや捩れが有る場合は多く、両足に着けることで、正常な歩行が実現するからである。
効果的な例としては、脳梗塞等の疾病による後遺症、高齢による体力低下、捻挫等の症状、扁平足及び外反母趾により、正常な歩行ができない場合等が考えられる。また、単に歩行時の姿勢が良くなるというだけではなく、身体全体のバランスを整える効果もあるので、運動時の利用も効果的である。
第１ベルト及び第２ベルトの素材は、伸縮性及び通気性に優れたメッシュ素材が好ましいが、メッシュ素材以外の布製，樹脂製及び革製等であっても良い。
【００１０】
本考案の足首矯正ベルトは、歩行の補助を目的とする足首矯正ベルトであって、土踏まずを支持するための土踏まず支持ベルトとアキレス腱を支持するためのアキレス腱支持ベルトとから成る第１ベルトと、足の甲を支持する第２ベルトとから成り、第１ベルトは、土踏まず支持ベルト及びアキレス腱支持ベルトがそれぞれＵ字状に湾曲した状態で、Ｕ字で形成される面が略直交するように各ベルトの両端同士が接合し輪っかが形成され、第１ベルトの接合部位の一端と第２ベルトの一端同士が予め固着され、第１ベルトの接合部位の他端と第２ベルトの他端には第１ベルトから第２ベルトを脱着自在に取り外しできる固着手段が設けられたものであっても良い。
第１ベルトの接合部位の一端と第２ベルトの一端同士が予め固着されることで、脱着のための固着手段を設ける箇所が１つとなり、取り外しが容易になる。また、構造も簡易になる。
【００１１】
本考案の足首矯正ベルトにおける固着手段は、面ファスナであることが好ましい。面ファスナが用いられることで、使用者の足の大きさに合わせて、自由に長さを調整できる。
ここで、面ファスナのループ部とフック部の組み合わせは、第１ベルトに設けられた固着手段がフック部で、第２ベルトに設けられた固着手段がループ部であっても良いし、第２ベルトに設けられた固着手段がフック部で、第１ベルトに設けられた固着手段がループ部であっても良い。
【００１２】
本考案の足首矯正ベルトは、歩行の補助を目的とする足首矯正ベルトであって、土踏まずを支持するための土踏まず支持ベルトとアキレス腱を支持するためのアキレス腱支持ベルトとから成る第１ベルトと、足の甲を支持する第２ベルトとから成り、第１ベルトは、土踏まず支持ベルト、アキレス腱支持ベルト及び第２ベルトが、それぞれＵ字状に湾曲した状態で、Ｕ字で形成される面が略直交するように、各ベルトの両端同士が接合し輪っかが形成され、第１ベルトの接合部位を繋ぐように、第２ベルトの両端が接合部位に接合され、第１ベルトと第２ベルトが一体化されているものであっても良い。
このように、第１ベルトと第２ベルトが一体化されていることで、装着中に不意に外れるといった事故を防ぐことができる。
【００１３】
本考案の足首矯正ベルトは、土踏まず支持ベルト、アキレス腱支持ベルト及び第２ベルトの全てに、伸縮性の高い素材が用いられたことが好ましい。伸縮性の高い素材が用いられることで、足首の可動を妨げず、また、長時間使用した場合でも締め付けによる痛み等が生じにくい構造である。
【００１４】
本考案の足首矯正ベルトは、土踏まず支持ベルト、アキレス腱支持ベルト及び第２ベルトの全てに、通気性の高い素材が用いられたことが好ましい。通気性の高い素材が用いられることで、長時間の使用でも蒸れにくく快適に使用することが可能となる。また、より軽くて丈夫な素材が用いられていることが好ましい。
【考案の効果】
【００１５】
本考案の足首矯正ベルトによれば、簡易な構造で、歩行補助や、扁平足，外反母趾の予防，改善がなされるといった効果を有する。
【図面の簡単な説明】
【００１６】
【図１】実施例１の足首矯正ベルトの装着図（１）
【図２】実施例１の第１ベルトの平面図
【図３】実施例１の第１ベルトの正面図
【図４】実施例１の第２ベルトを示し、（１）は平面図、（２）は底面図を示している。
【図５】実施例１の足首矯正ベルトの平面図
【図６】実施例１の足首矯正ベルトの斜視図を示し、（１）は第２ベルト、（２）は第１ベルトを示している。
【図７】実施例１の足首矯正ベルトの装着図（２）
【図８】実施例２の第１ベルトの平面図
【図９】実施例２の第１ベルトの正面図
【図１０】実施例２の足首矯正ベルトの平面図
【図１１】実施例３の第２ベルトの平面図
【考案を実施するための最良の形態】
【００１７】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１８】
図２は、実施例１の第１ベルトの平面図を示している。図２に示されるように、第１ベルト１は、土踏まず支持ベルト１ａとアキレス腱支持ベルト１ｂから成り、土踏まず支持ベルト１ａとアキレス腱支持ベルト１ｂは、接合部位（１ｃ，１ｄ）において、両端同士が接合され一体化されている。接合部位（１ｃ，１ｄ）には、面ファスナのフック部４ａが設けられている。第１ベルト１は、左右対称の形状となっているので、左右何れの足にも使用可能である。
【００１９】
図３は、実施例１の第１ベルトの正面図を示している。第１ベルト１の接合部位（１ｃ，１ｄ）の内側面上には、面ファスナのフック部４ａが設けられている。
第１ベルト１の素材は、伸縮性及び通気性に優れたメッシュ素材が用いられているが、メッシュ素材以外の布製，樹脂製及び革製等であっても良い。
また、製造時に縫い目が生じる場合には、緩衝材を設けて、快適性を向上させても良い。
【００２０】
図４は、実施例１の第２ベルトを示し、（１）は平面図、（２）は底面図を示している。図４（１）に示されるように、第２ベルト２の表面２ａには、面ファスナのループ部４ｂが設けられている。実施例１においては、面ファスナのループ部４ｂは、第２ベルト２の表面２ａの略全面に設けられているので、幅広く長さ調節が可能な構造となっている。図４（２）に示されるように、第２ベルト２の裏面２ｂは、使用者の足の甲に当接するため、面ファスナのループ部４ｂは設けられていない。第２ベルト２は、左右対称の形状となっているので、左右何れの足にも使用可能である。
第２ベルト２の素材は、通気性に優れたメッシュ素材が用いられているが、メッシュ素材以外の布製，樹脂製及び革製等であっても良い。
【００２１】
図５は、実施例１の足首矯正ベルトの平面図を示している。図５に示されるように、足首矯正ベルト３は、面ファスナのフック部４ａと面ファスナのループ部４ｂを接合させて、第１ベルト１と第２ベルト２を固着する構造である。
【００２２】
図６は、実施例１の足首矯正ベルトの斜視図を示し、（１）は第２ベルト、（２）は第１ベルトを示している。図６（２）に示されるように、第１ベルト１は、土踏まず支持ベルト１ａ及びアキレス腱支持ベルト１ｂがそれぞれＵ字状に湾曲した状態で、接合部位（１ｃ，１ｄ）において、Ｕ字で形成される面が略直交するように各ベルトの両端同士が接合し輪っかが形成されている。第１ベルト１の接合部位（１ｃ，１ｄ）には、第１ベルト１から第２ベルト２を脱着自在に取り外しできる固着手段として面ファスナのフック部４ａが設けられている。
図６（１）に示されるように、第２ベルト２の表面２ａには、第１ベルト１から第２ベルト２を脱着自在に取り外しできる固着手段として面ファスナのループ部４ｂが設けられている。第１ベルト１は、面ファスナのフック部４ａが設けられた面が、土踏まず及びアキレス腱への当接面となるように装着され、第２ベルト２は、面ファスナのループ部４ｂが設けられていない面が、足の甲への当接面となるように装着される。
【００２３】
図１及び図７は、実施例１の足首矯正ベルトの装着図を示しており、図１は足裏が地面に設置している状態を示し、図７は足を上に上げた状態を示している。図１に示されるように、土踏まず支持ベルト１ａは土踏まず５ａに、アキレス腱支持ベルト１ｂはアキレス腱５ｂに、第２ベルト２は足の甲５ｃにそれぞれ当接している。
装着手順としては、まず、土踏まず５ａに土踏まず支持ベルト１ａを当接させ、アキレス腱５ｂにアキレス腱支持ベルト１ｂを当接させる。次に、第２ベルト２の裏面２ｂを足の甲５ｃに当接させ、面ファスナのフック部４ａと面ファスナのループ部４ｂを係合させて、固着する。
【００２４】
土踏まず支持ベルト１ａと第２ベルト２は、土踏まず５ａと足の甲５ｃを拘束するため、土踏まずの横アーチ形状の形成を促進でき、扁平足や外反母趾の症状を改善できる。
足首矯正ベルト３が装着されていない状態で足を上げると、足に障害を抱えている人の場合、爪先が垂れ下がってしまう。しかしながら、本実施例では、図７に示されるように、アキレス腱支持ベルト１ｂと第２ベルト２で足の甲５ｃとアキレス腱５ｂを固定することができるので、足を上げると同時に土踏まず支持ベルト１ａを引き上げる力が作用し爪先が垂れ下がることを防止できる。
【実施例２】
【００２５】
図８は、実施例２の第１ベルトの平面図を示している。図８に示されるように、第１ベルト１１は、土踏まず支持ベルト１１ａとアキレス腱支持ベルト１１ｂから成り、土踏まず支持ベルト１１ａとアキレス腱支持ベルト１１ｂは、接合部位（１１ｃ，１１ｄ）において、両端同士が接合し輪っかが形成されている。接合部位１１ｄには、面ファスナのフック部４ａが設けられている。接合部位１１ｃには、第２ベルト１２が裏向きに接合され一体化されている。
【００２６】
図９は、実施例２の第１ベルトの正面図を示している。第１ベルト１１の接合部位１１ｄの内側面上には、面ファスナのフック部４ａが設けられている。これに対して、接合部位１１ｃには、第２ベルト１２が接合され、第２ベルト１２の表面１２ａには、略全面に面ファスナのループ部４ｂが設けられている。
【００２７】
図１０は、実施例２の足首矯正ベルトの平面図を示している。図１０に示されるように、足首矯正ベルト１３は、面ファスナのフック部４ａと面ファスナのループ部４ｂを接合させて、第１ベルト１１と第２ベルト１２を固着する構造である。
装着手順としては、まず、土踏まず５ａに土踏まず支持ベルト１１ａを当接させ、アキレス腱５ｂにアキレス腱支持ベルト１１ｂを当接させる。次に、第２ベルト１２の裏面１２ｂを足の甲５ｃに当接させ、面ファスナのフック部４ａと面ファスナのループ部４ｂを係合させて、固着する。
【００２８】
本実施例によれば、面ファスナを係合させる箇所が１箇所であるので、脱着が容易であり、また、部材が一体化されているため一方の部材を紛失してしまうというおそれもない。
【実施例３】
【００２９】
図１１は、実施例３の第２ベルトの平面図を示している。図１１に示されるように、第２ベルト２１の表面２１ａには、面ファスナのループ部４ｂが設けられている。
しかし、第２ベルト２１は、実施例１における第２ベルト２とは異なり、表面２１ａの中央部にマーカ６が設けられている。マーカ６が設けられていることにより、装着する際に足の甲５ｃの中央付近に置いて装着することで、左右にずれることなく装着することができる。
【００３０】
（その他の実施例）
第１ベルト１と第２ベルト２は、固着手段が設けられず、一体化されたものであってもよい。第１ベルト１と第２ベルト２が一体化されていることで、装着中に不意に外れるといった事故を防ぐことができる。かかる場合は、靴を履くように装着するため、より伸縮性のある素材が用いられることが好ましい。
【産業上の利用可能性】
【００３１】
本考案は、歩行補助用の矯正具として有用である。
【符号の説明】
【００３２】
１，１１  第１ベルト
１ａ，１１ａ  土踏まず支持ベルト
１ｂ，１１ｂ  アキレス腱支持ベルト
１ｃ，１ｄ，１１ｃ，１１ｄ  接合部位
２，１２，２１  第２ベルト
２ａ，１２ａ，２１ａ  表面
２ｂ，１２ｂ  裏面
３，１３  足首矯正ベルト
４ａ  面ファスナのフック部
４ｂ  面ファスナのループ部
５  左足
５ａ  土踏まず
５ｂ  アキレス腱
５ｃ  足の甲
６  マーカ
【図１】
0003197911.tif 000003
【図２】
0003197911.tif 000004
【図３】
0003197911.tif 000005
【図４】
0003197911.tif 000006
【図５】
0003197911.tif 000007
【図６】
0003197911.tif 000008
【図７】
0003197911.tif 000009
【図８】
0003197911.tif 000010
【図９】
0003197911.tif 000011
【図１０】
0003197911.tif 000012
【図１１】
0003197911.tif 000013